(57)【特許請求の範囲】
【請求項１】
背もたれ面を有するシートバックが、通常着座位置と、該通常着座位置から後方へ傾倒するリクライニング位置との少なくとも二つのポジション間で移動して、前記シートバックに、着座する者の上体下部の腰椎を前方に向けて押圧する下部支持部を設けたランバーサポートであって、
前記背もたれ面側が凸面状に湾曲されて形成され、前記背もたれ面の裏面側には前記下部支持部を構成する下部ランバーサポートプレート部材と、
前記下部ランバーサポートプレート部材を回転自在に支持する回動軸部材と、
前記シートバックの前記背もたれ面が少なくとも前記二つのポジション間で移動するリクライニング動作に連動して、前記回動軸部材を回動中心として、下部ランバーサポートプレート部材を後方に傾倒する下部連動機構と、を有し、
前記シートバックが前記通常着座位置のとき、前記下部ランバーサポートプレート部材の上縁側が前記背もたれ面の裏面側から押圧することにより、前記腰椎を前方に湾曲させ、
前記シートバックが前記通常着座位置から前記リクライニング位置へ傾倒するとき、前記下部連動機構が前記リクライニング動作に連動して、前記上縁側が前記背もたれ面から離間する方向に回動すると共に、前記下部ランバーサポートプレート部材の下縁側が前記背もたれ面に近接する方向に回動し、前方に湾曲させている前記腰椎を直線状に近づける
ことを特徴とするランバーサポート。
【請求項２】
前記下部支持部は、前記通常着座位置からリクライニング位置へ後方に傾倒する動作に連動して、前記着座する者を支持する位置が、着座する者の腰椎から骨盤方向へ移動することを特徴とする請求項１記載のランバーサポート。
【請求項３】
前記シートバックの背もたれ面には、前記下部支持部よりも上方に、上部支持部を設けて、着座する者の上体上部を支持すると共に、該上部支持部では、前記通常着座位置からリクライニング位置へ向けて、後方に傾倒する動作に連動して、支持位置を後方から前方に向けて移動することを特徴とする請求項１又は２記載のランバーサポート。
【請求項４】
前記シートバックの前記下部支持部が、通常着座位置では、着座する者の脊椎のうち、上体上部近傍の第一下部支持位置を集中的に支持すると共に、前記リクライニング位置では、該第一下部支持位置よりも下方に位置する第三下部支持位置を集中的に支持することを特徴とする請求項１乃至３のうち、何れか一項記載のランバーサポート。
【請求項５】
前記第一下部支持位置と、第三下部支持位置との間には、前記シートバックが、通常着座位置から、リクライニング位置まで移動する間の該シートバックの傾倒角度に応じて、着座する者の脊椎のうち、上体上部近傍の第一下部支持位置から、前記第三下部支持位置までの何れかの部分を集中的に支持する第二下部支持位置が設けられていることを特徴とする請求項４記載のランバーサポート。
【請求項６】
前記シートバックの背もたれ面には、前記下部支持部よりも上方に、上部支持部を設け、
前記下部支持部を構成する下部ランバーサポートプレート部材の上縁側と、前記上部支持部を構成する上部ランバーサポートプレート部材の下縁側とは、近接配置されていることを特徴とする請求項３乃至５のうち何れか一項記載のランバーサポート。
【発明の詳細な説明】
【技術分野】
【０００１】
本発明は、椅子等、座席シート部に適用されるランバーサポートに関するものである。
【背景技術】
【０００２】
従来、椅子等の座席シート部としては、着座する者（以下、着座者と記す）の腰椎を支持するランバーサポートを有するものが、知られている（特許文献１参照）。
【０００３】
このランバーサポートは、シートバックの背もたれ面内に設けられていて、シートクッションと、シートバックとの間の角度が一定である場合に、適宜、前記着座者の腰椎を、後方から支持することにより、脊椎を側面視略Ｓ字状となるように保持する。
【０００４】
また、シートバックを後方へ傾倒させて、着座者がリラックス等したい場合においても、前記着座者の腰椎は、ランバーサポートによって後方から支持される。
【先行技術文献】
【特許文献】
【０００５】
【特許文献１】実開平３−１１２０４７号
【発明の概要】
【発明が解決しようとする課題】
【０００６】
しかしながら、このような従来のランバーサポートでは、シートバックを後方へ傾倒させても、前記着座者の脊椎は、略Ｓ字状に湾曲され続けるので、リラックス効果を与えられるものではなかった。
【０００７】
そこで、本発明の目的は、シートバックの後方への傾倒によって、生じる着座者の着座姿勢の変化に対応して、適切に支持することが出来るランバーサポートを提供することにある。
【課題を解決するための手段】
【０００８】
上記目的を達成するために、本発明のランバーサポートには、背もたれ面を有するシートバックが、通常着座位置と、該通常着座位置から後方へ傾倒するリクライニング位置との少なくとも二つのポジション間で移動して、前記シートバックに、着座する者の上体下部の腰椎を前方に向けて押圧する下部支持部を設けている。
このランバーサポートは、下部ランバーサポートプレート部材と、回動軸部材と、下部連動機構と、を有している。
前記下部ランバーサポートプレート部材は、前記背もたれ面側が凸面状に湾曲されて形成され、前記背もたれ面の裏面側には前記下部支持部を構成する。
前記回動軸部材は、前記下部ランバーサポートプレート部材を回転自在に支持する。
前記下部連動機構は、前記シートバックの前記背もたれ面が少なくとも前記二つのポジション間で移動するリクライニング動作に連動して、前記回動軸部材を回動中心として、下部ランバーサポートプレート部材を後方に傾倒する。
前記シートバックが前記通常着座位置のとき、前記下部ランバーサポートプレート部材の上縁側が前記背もたれ面の裏面側から押圧することにより、前記腰椎を前方に湾曲させる。
前記シートバックが前記通常着座位置から前記リクライニング位置へ傾倒するとき、前記下部連動機構が前記リクライニング動作に連動して、前記上縁側が前記背もたれ面から離間する方向に回動すると共に、前記下部ランバーサポートプレート部材の下縁側が前記背もたれ面に近接する方向に回動し、前方に湾曲させている前記腰椎を直線状に近づける。
【発明の効果】
【０００９】
本発明によれば、前記シートバックに設けられた下部支持部を構成する下部ランバーサポートプレート部材が、通常着座位置で、背もたれ面の裏面側から押圧することにより、着座する者の上体下部の腰椎を前方に湾曲させる。
【００１０】
このため、着座する者の腰椎を前方に湾曲させて、脊椎を、側面視で略Ｓ字状に保持することが出来、生理学上、長時間の着座による人体疲労を軽減させることが出来る。
【００１１】
また、通常着座位置から後方へ傾倒するリクライニング位置では、下部連動機構がリクライニング動作に連動して、下部ランバーサポートプレート部材が回動し、前方に湾曲させている前記着座する者の上体下部の腰椎を、直線状に近づける。
【００１２】
このため、生理学上、腰椎への負荷を軽減し、着座する者にリラックス効果を与えることが出来る。
【００１３】
従って、該下部支持部を構成する下部ランバーサポートプレート部材によって、前記シートバックの後方への傾倒に応じて生じる着座姿勢の変化に合わせて、適切に着座する者を支持することが出来る。
【図面の簡単な説明】
【００１４】
【図１】本発明の実施の形態のランバーサポートが用いられた椅子で、座席のシートバックの内部の構成を説明する模式的な斜視図である。
【図２】実施の形態のランバーサポートが用いられた椅子で、座席のシートバックの内部の構成を説明する模式的な側面図である。
【図３】実施の形態のランバーサポートで、通常着座位置での着座者と、ランバーサポートとの関係を説明する模式的な側面図である。
【図４】実施の形態のランバーサポートで、中間着座位置での着座者と、ランバーサポートとの関係を説明する模式的な側面図である。
【図５】実施の形態のランバーサポートで、リクライニング位置での着座者と、ランバーサポートとの関係を説明する模式的な側面図である。
【図６】実施の形態のランバーサポートで、（ａ）は、通常着座位置、（ｂ）は、中間着座位置（ｃ）は、リクライニング位置を示す模式的な側面図である。
【図７】通常着座位置における着座者の姿勢を、脊椎の湾曲の様子と比較して説明し、（ａ）は、着座者の一部透過側面図、（ｂ）は、骨格をモデリングした模式図、（ｃ）は、脊椎の湾曲を線状に模式化した側面図である。
【図８】リクライニング位置における着座者の姿勢を、脊椎の湾曲の様子と比較して説明し、（ａ）は、着座者の一部透過側面図、（ｂ）は、骨格をモデリングした模式図、（ｃ）は、脊椎の湾曲を線状に模式化した側面図である。
【発明を実施するための形態】
【００１５】
以下、本発明の実施の形態のランバーサポートを図面に基づいて説明する。
【００１６】
まず、図１乃至図８を用いて、全体の構成から説明すると、この実施の形態のランバーサポートが適用される椅子１には、シートクッション２及びシートバック５が設けられている。
【００１７】
このうち、シートクッション２には、左，右一対の金属製のクッションフレーム部材２ａ，２ａが内蔵されていて、これらのクッションフレーム部材２ａ，２ａの間に設けられて弾性変形可能な図示省略のクッション材の上面側には、着座する者ＨＵ（以下、着座者ＨＵと記す）が、臀部ＨＣを下ろして座る着座面２ｃが、設けられている。
【００１８】
このシートクッション２の後端縁部近傍には、前記クッションフレーム部材２ａ，２ａと一体となるように延設された取付壁面部２ｄ，２ｄが、設けられている。
【００１９】
この取付壁面部２ｄ，２ｄには、回動軸部４，４が設けられていて、このシートクッション２と共に前記椅子１を構成する前記シートバック５の下端部５ａ，５ａが、これらの回動軸部４，４を介して、回動可能となるように軸支されている。
【００２０】
また、図３に示すように、このシートバック５は、前記下端部５ａから上端部５ｂまでの縦方向の設定寸法として、着座者の脊椎ＨＳの長さ寸法と略同じ、寸法ｈを有している。
【００２１】
更に、前記シートバック５には、金属製のシートバックフレーム部材６が、正面視略門型形状を呈して設けられている。
【００２２】
このシートバックフレーム部材６は、図１に示すように、水平方向に延設されて、上側部骨格を構成するパイプ状のショルダフレーム材６ａによって、縦方向に延設された左，右一対のバックサイドフレーム材６ｂ，６ｂの上縁部同士が、一体となるように連結されている。
【００２３】
また、これらのバックサイドフレーム材６ｂ，６ｂの各下端部６ｃ，６ｃは、前記回動軸部４，４を回転中心として、枢着支持されている。
【００２４】
更に、このシートバック５の上端部５ｂには、ヘッドレスト部材７が装着されている。
【００２５】
そして、図示省略の一般的なリクライニング機構が用いられて、このシートバック５を前方又は、後方へ向けて回動させることにより、傾倒可能となるように構成されている。
【００２６】
また、このシートバック５の前側である着座者ＨＵ側の対向面には、前記シートバックフレーム部材６の周囲を覆うシート表皮材５ｃによって、図３に示す側面視で、略Ｓ字状に湾曲形成された背もたれ面８が、設けられている。
【００２７】
この実施の形態の椅子１のシートバック５には、主に、着座する者の上体下部の腰椎を前方に向けて押圧する下部支持部１１と、この下部支持部１１よりも上方に設けられた上部支持部２１とを有して、ランバーサポート機構１０が、構成されている。
【００２８】
このうち、ランバーサポート機構１０の前記背もたれ面８裏面側には、前記下部支持部１１を構成する平板状の下部ランバーサポートプレート部材１２が、設けられている。
【００２９】
この下部ランバーサポートプレート部材１２は、図３に示す様に、前記背もたれ面８側が、凸面状に湾曲されて形成されている。
【００３０】
また、この下部ランバーサポートプレート部材１２の裏面側１１ｄには、上，下方向中央部よりも下方側位置に、棒軸状の回動軸部材１１ｂが、ブラケット１１ｃ，１１ｃ及び接着材等を介して、固着されている。
【００３１】
この回動軸部材１１ｂは、図１に示すように、両端部が各々前記バックサイドフレーム材６ｂ，６ｂに対して、回転自在となるように支持されることにより、このシートバック５内の前記バックサイドフレーム材６ｂ，６ｂ間で、前記下部ランバーサポートプレート部材１２を、揺動可能となるように軸支している。
【００３２】
更に、この下部ランバーサポートプレート部材１２の裏面側１１ｄには、前記ブラケット１１ｃが、固定されている位置よりも上方で、上，下方向中央部近傍に、図２に示す様な前記下部連動機構１３を構成する丸棒状のロッド部材１４が、設けられている。
このロッド部材１４は、椅子１の左右幅方向に長手方向を有して、各両端部１４ａ，１４ａが、下部ランバーサポートプレート部材１２の左，右両側から、一定寸法、各々突設されて、前記バックサイドフレーム材６ｂ，６ｂの側面部に開口形成された半円弧状の溝部１５，１５内に、各々スライド自在となるように、遊嵌されている。
【００３３】
そして、前記下部ランバーサポートプレート部材１２の前記回動軸部材１１ｂを中心とする回動に伴って、前後方向に、この各両端部１４ａ，１４ａが、前記溝部１５，１５内を各々円滑にスライド移動することにより、前記下部ランバーサポートプレート部材１２の回動動作を円滑に行わせることが出来る様に構成されている。
【００３４】
更に、この各両端部１４ａ，１４ａには、左，右一対の下側ケーブル部材１６，１６の各一端部が、各々連結されている。
【００３５】
これらの下側ケーブル部材１６，１６は、前記バックサイドフレーム材６ｂ，６ｂの外側面から、両外側方に向けて突設されたガイドピン１７，１７を経由して、延設方向が下方に向くようにガイドされて、各他端部が、前記左，右に位置する各クッションフレーム部材２ａ，２ａの各取付壁面部２ｄ，２ｄの後端部近傍の両外側面に固定される固定ピン１８，１８に連結されている。
【００３６】
このうち、前記ガイドピン１７，１７は、前記ロッド部材１４よりも、各々上，下方向上側で、着座者ＨＵ側の背もたれ面８に近接されて設けられて、前記ロッド部材１４の各両端部１４ａ，１４ａが、前記溝部１５，１５内で、円滑にスライド移動するように、この下側ケーブル部材１６，１６が、背もたれ面８方向へ牽引される構成としている。
【００３７】
また、前記各固定ピン１８，１８は、前記取付壁面部２ｄ，２ｄの後端部近傍に各々固設されていると共に、前記回動軸部４，４に対して後方へ一定寸法、オフセットされていることにより、前記シートバック５の後方への傾倒動作で、図３に示す前記ガイドピン１７，１７までの距離Ｌ１が、図４に示す距離Ｌ２及び、図５に示す距離Ｌ３のように、短縮される構成としている。
【００３８】
このため、この下部連動機構１３では、前記椅子１のシートバック５の背もたれ面８が、通常着座位置から、後方へ傾倒するリクライニング位置との少なくとも二つのポジション間で移動するリクライニング動作に連動して、前記下部ランバーサポートプレート部材１２が、回動軸部材１１ｂを回動中心として、後方に傾倒される。
【００３９】
すなわち、この実施の形態では、少なくとも図３に示す前記通常着座位置では、着座者ＨＵの上体下部の腰椎ＨＢが、前方に向けて、この下部支持部１１の下部ランバーサポートプレート部材１２によって、押圧されている。
【００４０】
また、この通常着座位置から、図４に示す中間着座位置を経て、図５に示すリクライニング位置へ、前記シートバック５が、後方に傾倒するリクライニング動作に連動して、下部ランバーサポートプレート部材１２が移動する。
【００４１】
そして、前記下部ランバーサポートプレート部材１２の上縁側１２ｂが、前方の背もたれ面８から、離間する方向に回動すると共に、下縁側１２ｃが背もたれ面８に近接する方向に回動して、前記着座者ＨＵの上体下部の腰椎ＨＢが、図７中に示すように、側面視略Ｓ字状の状態から、図８中に示すように、略直線状となるリラックスした状態へ近づくように移動可能に構成されている。
また、この実施の形態では、前記下部支持部１１の下部ランバーサポートプレート部材１２は、上，下方向中央部よりも下方位置で、前記回動軸部材１１ｂを回動中心として、回動するので、前記通常着座位置からリクライニング位置へ前記シートバック５が、後方に傾倒する動作に連動して、図６中矢印で示す様に、前記着座者ＨＵを支持する位置が、着座する者の腰椎から骨盤方向へ向けて移動するように構成されている。
【００４２】
この実施の形態では、このシートバック５は、前記下端部５ａから上端部５ｂまでの寸法ｈに対して、図６中（ａ）に示すように、通常着座位置では、第一傾倒角度α１（バックアングル約２１°付近）で、前記背もたれ面８のシート表示材５ｃ裏面側に、前記下部ランバーサポートプレート部材１２の表側曲面が、下端部５ａからの寸法を、約ｈ１＝２／５ｈ（ｈは、シートバック５の下端部５ａから上端部５ｂまでの全長寸法）付近として、最も近接するように、設定されている。
【００４３】
このため、集中的に支持する部分が、腰椎ＨＢの略Ｓ字状に前湾曲する凹部近傍に位置して、前記背もたれ面８の裏面側から、前記下部ランバーサポートプレート部材１２の上縁側１２ｂによって、押圧されることにより、効率的に略Ｓ字状に前湾曲する腰椎ＨＢの形状が保持されるように構成されている。
【００４４】
また、図６中（ｃ）に示すように、第三傾倒角度α３（バックアングル約２９°付近）となるリクライニング着座位置では、前記背もたれ面８のシート表示材５ｃ裏面側に、前記下部ランバーサポートプレート部材１２の表側曲面が、下端部５ａから、約ｈ３＝１／５ｈ付近で、最も近接するように、設定されている。
【００４５】
このため、集中的に支持する部分が、前湾曲する略Ｓ字状の腰椎ＨＢの下端凸部分近傍に位置して、前記背もたれ面８の裏面側から、前記下部ランバーサポートプレート部材１２の下縁側１２ｃ近傍部分によって、効果的に押圧することにより、前記腰椎ＨＢの前湾曲形状の曲率半径を徐々に大きくして、段階的に直線状とするように構成されている。
【００４６】
そして、図６中（ｂ）に示す第二傾倒角度α２である約２５°付近（バックアングル約２１°〜２９°）等の中間着座位置では、下端部５ａから、約ｈ２＝２／５〜１／５ｈの範囲内で、前記下部ランバーサポートプレート部材１２の表側曲面が、最も近接するように、集中的に支持位置を無段階に移動させるように構成されている。
【００４７】
この実施の形態では、説明の為、図６中に示すように、これらのシートバック５の第一傾倒角度α１，第二傾倒角度α２，第三傾倒角度α３は、着座者ＨＵの上体の各第一傾倒角度α４，第二傾倒角度α５，第三傾倒角度α６と、略同一角度となるようにしている。
また、この実施の形態の椅子１のシートバック５の背もたれ面８には、前記下部支持部１１よりも上部で、前記ヘッドレスト部材７の装着位置よりも下方に、ランバーサポート機構１０の一つとしての上部支持部２１が設けられている。
【００４８】
この上部支持部２１には、前記背もたれ面８の上部のシート表皮材５ｃの裏面側に沿って位置して、平板状を呈する上部ランバーサポートプレート部材２２が、設けられている。
この上部ランバーサポートプレート部材２２は、図２に示す様に、前記背もたれ面８側が、凹面状となるように湾曲されて形成されている。
【００４９】
また、この上部ランバーサポートプレート部材２２の裏面側２１ｄには、下縁側２２ｂ近傍に、棒軸状の回動軸部材２１ｂが、ブラケット２１ｃ，２１ｃ及び接着材等を介して、固着されている。
【００５０】
この回動軸部材２１ｂは、両端部が各々前記バックサイドフレーム材６ｂ，６ｂの上端部近傍に対して、回転自在となるように支持されることにより、このシートバック５内の前記バックサイドフレーム材６ｂ，６ｂ間に位置する前記上部ランバーサポートプレート部材２２の上縁側２２ｃが、背もたれ面８に近接及び離反する前後方向へ揺動可能となるように軸支されている。
【００５１】
更に、この実施の形態では、前記通常着座位置からリクライニング位置へ向けて、前記シートバック５が、後方に傾倒する動作に連動されて、支持位置が移動するように、後方から前方に向けて、前記背もたれ面８の上部のシート表皮材５ｃの裏面側方向へ、前記上部ランバーサポートプレート部材２２の上縁側２２ｃを揺動移動させる上部連動機構２３が設けられている。
【００５２】
この上部連動機構２３は、前記下部連動機構１３とは、独立して構成されていて、前記リクライニング機構による前記通常着座位置からリクライニング位置への回動移動に伴って、前記下部連動機構１３とは、別途、連動して、前記上部ランバーサポートプレート部材２２を揺動移動させるように構成されている。
【００５３】
すなわち、この上部連動機構２３には、ロッド部材２４が、図１，図２に示すように、前記上部ランバーサポートプレート部材２２の裏面側２１ｄで、前記ブラケット２１ｃ，２１ｃが、固定されている位置よりも上方に、固着されて設けられている。
このロッド部材２４は、椅子１の左右幅方向に長手方向を有する丸棒状を呈していて、この両端部２４ａ，２４ａが、前記上部ランバーサポートプレート部材２２の左右方向両側から、各々一定寸法、突設されて、前記バックサイドフレーム材６ｂ，６ｂの側面部の上端近傍に各々に開口形成された半円弧状の溝部２５，２５内に、各々スライド自在となるように、遊嵌されている。
【００５４】
そして、各両端部２４ａ，２４ａが、この各溝部２５，２５内で、スライド移動することにより、前記上部ランバーサポートプレート部材２２の前記回動軸部材２１ｂを中心とする回動に伴って、この上部ランバーサポートプレート部材２２の上縁側２２ｃを前後方向へ、円滑に揺動動作させるように構成されている。
【００５５】
更に、この各両端部２４ａ，２４ａには、左，右一対の上側ケーブル部材２６，２６の各一端部が、各々連結されている。
【００５６】
これらの上側ケーブル部材２６，２６は、前記バックサイドフレーム材６ｂ，６ｂの両側外側面から、各々両外側方向に向けて突設されたガイドピン２７，２７を経由して、回動軸部４，４方向である下方へ向くように延設方向が、ガイドされて、前記各クッションフレーム部材２ａ，２ａの取付壁面部２ｄ，２ｄの外側の方向に、各他端部が延設されている。
【００５７】
このうち、前記ガイドピン２７，２７は、図３に示すように、前記ロッド部材２４よりも、各々上，下方向上側で、着座者ＨＵ側の背もたれ面８のシート表皮材５ｃに近接されて設けられている。
【００５８】
また、前記各固定ピン２８，２８は、前記各取付壁面部２ｄ，２ｄのうち、両外側面の前縁部近傍に、各々固設されて設けられていて、前記上側ケーブル部材２６，２６の各他端部が連結されるように構成されている。
【００５９】
そして、これらの各固定ピン２８，２８が、前記回動軸部４，４に対して前方へ一定寸法、オフセットされていることにより、前記シートバック５の後方への傾倒動作で、前記ガイドピン２７，２７までの距離が、延伸されるように構成されている。
【００６０】
このため、この上部連動機構２３では、図３乃至図５に示す前記通常着座位置から、中間着座位置を通って、リクライニング位置へ前記シートバック５が、後方に傾倒するリクライニング動作に連動して、前記上部ランバーサポートプレート部材２２が、前記回動軸部材２１ｂを回動中心として回動し、前記上縁側２２ｃが、背もたれ面８のシート表皮材５ｃ方向へ近接するように、揺動移動させる。
【００６１】
この上縁側２２ｂの揺動移動により、シート表皮材５ｃを介して、図７，図８に示す前記着座者ＨＵの上体上部の胸部ＨＡ背中側が、押圧されて、前記椅子１のヘッドレスト部材７から、頭部ＨＥが、離間される方向へ着座者ＨＵの上体上部が、起こされる。
【００６２】
そして、図８に示す様に、リクライニング位置では、腰椎ＨＢが、直線状のリラックスした状態へ近づくように、この上部ランバーサポートプレート部材２２によって、前記上体上部の胸部ＨＡが、背中側から支持されるように構成されている。
また、この実施の形態では、図１及び図２に示すように、前記下部ランバーサポートプレート部材１２の上縁側１２ｂと、上部ランバーサポートプレート部材２２の下縁側２２ｂとが、近接配置されている。
【００６３】
そして、図４及び図５に示すように、この上部ランバーサポートプレート部材２２の前記回動軸部材２１ｂを回動中心とする回動によって、前記下縁側２２ｂが、背もたれ面８から、離間方向に移動する。
【００６４】
従って、前記シートバック５は、後方へ傾倒する移動が行われる際に、前記下部連動機構１３によって連動された前記下部ランバーサポートプレート部材１２の上縁側１２ｂの後方への回動移動に伴って、着座者ＨＵの直線状になろうとする脊椎ＨＳの円滑な動作が、この下縁側２２ｂが離間する方向へ、同時に後退することによって、妨げられることが無くなり、更に、違和感が減少するように構成されている。
【００６５】
次に、この実施の形態のランバーサポートが、適用される椅子１の作用効果について説明する。
【００６６】
この実施の形態の椅子１では、図６中（ａ）に示される通常着座位置では、前記シートバック５に設けられた下部支持部１１が、図３中白抜き矢印で示す様に、前記シート表皮材５ｃを介在させて、着座者ＨＵの上体下部の腰椎ＨＢを前方に向けて押圧する。
【００６７】
このため、着座者ＨＵの腰椎ＨＢが、図７に示すように、前方に湾曲されて、脊椎ＨＳを、側面視で略Ｓ字状に保持することが出来、生理学上、長時間の着座による人体疲労を軽減させることが出来る。
【００６８】
また、前記リクライニング機構を用いて、通常着座位置から後方へ前記シートバック５を傾倒すると、図４及び図６中（ｂ）に示す中間着座位置を経て、図５及び図６中（ｃ）に示すリクライニング位置まで、前記背もたれ面８が、前記回動軸部４を回動中心として、後方へ移動される。
【００６９】
前記下部支持部１１の下部ランバーサポートプレート部材１２は、前記回動軸部材１１ｂを回動中心として回動自在に支持されていて、前記下部連動機構１３によって、このシートバック５の回動移動に伴って、移動するように連動されている。
【００７０】
すなわち、図３に示すように、通常着座位置では、前記固定ピン１８と、ガイドピン１７との間に距離Ｌ１が、設けられているが、この実施の形態の固定ピン１８，１８は、前記取付壁面部２ｄ，２ｄの後端部近傍に各々固設されていて、前記回動軸部４，４に対して後方へ一定寸法、オフセットされている。
【００７１】
従って、図４及び図５に示す様に、前記シートバック５の後方への傾倒動作で、ガイドピン１７，１７の位置が、前記固定ピン１８に近接して、前記固定ピン１８と、ガイドピン１７との間の距離Ｌ２，Ｌ３が、この距離Ｌ１に比して縮まる。
【００７２】
前記固定ピン１８，１８は、前記取付壁面部２ｄ，２ｄに固定されているので、前記シートバック５の回動移動に伴って、移動することはない。
また、下側ケーブル部材１６，１６の両端部は、これらの固定ピン１８，１８及び、ロッド部材１４の各両端部１４ａ，１４ａに固定されたままで、両端部１４ａ，１４ａ間の下側ケーブル部材１６，１６の全長は、変わらない。
【００７３】
このため、下側ケーブル部材１６，１６は、弛緩するが、着座者ＨＵの体重が、前記背もたれ面８にも加わっているので、前記ガイドピン１７，１７と、ロッド部材１４の両端部１４ａ，１４ａとの間で、この弛緩を解消するように、下部ランバーサポートプレート部材１２に押圧力が加わり、前記背もたれ面８から離間する方向へ、前記ロッド部材１４の両端部１４ａ，１４ａが、スライド移動する。
【００７４】
このため、このロッド部材１４が設けられた下部ランバーサポートプレート部材１２は、前記回動軸部材１１ｂを回動中心として、前記上縁側１２ｂが後方に向けて、回動される。
【００７５】
従って、前記下部ランバーサポートプレート部材１２の上縁側１２ｂは、前記背もたれ面８から離間方向に移動して、着座者ＨＵの上体下部の腰椎ＨＢに、図３中白抜き矢印で示す様に圧接されていたシート表皮材５ｃへの圧接力を、減少させながら、徐々に後方へ向けて、傾倒する。
【００７６】
そして、前記下側ケーブル部材１６，１６の弛緩が解消される張力が、前記下部ランバーサポートプレート部材１２の上縁側１２ｂを回動させる押圧力と略釣り合うと、上縁側１２ｂの前方への移動と共に、下縁側１２ｃの前方への移動が、同時に停止する。
【００７７】
この実施の形態では、押圧力が付与される前記上縁側１２ｂとは、回動軸部材１１ｂを軸支するブラケット１１ｃ，１１ｃを挟んで、前記下部ランバーサポートプレート部材１２の反対側に一体に形成された下縁側１２ｃが、前記シートバック５の回動移動に伴って、前記回動軸部材１１ｂを回動中心として、前記背もたれ面８方向に、回動移動して近接する。
【００７８】
このため、この下縁側１２ｃによって、前記着座者ＨＵの上体下部の腰椎ＨＢの下部が、前記シート表皮材５ｃを介在させた状態で押圧されて、前記上縁側２２ｃの回動移動によって、略Ｓ字状から、略直線状に延ばされて更に、直線状に近づくように、所望の支持状態となるように、背もたれ面８の角度及び形状を変形させることが出来る。
【００７９】
よって、生理学上、腰椎ＨＢへの負荷が軽減されて、着座者ＨＵにリラックス効果を与えることが出来る。
【００８０】
このように、前記下部連動機構１３の連動によって、前記シートバック５の後方への傾倒動作角度とは、異なる回動角度で移動する下部支持部１１の下部ランバーサポートプレート部材１２が、前記シートバック５の後方への傾倒動作に応じて生じる着座姿勢の変化に合わせて、適切に着座者ＨＵの腰椎ＨＢを保持する。
【００８１】
また、この実施の形態では、図６中（ａ）に示す通常着座位置から、図６中（ｂ）に示す中間着座位置を経て、図６中（ｃ）に示すリクライニング位置に至るまで、図中黒矢印で示す第一下部支持位置Ｙ１，第二下部支持位置Ｙ２及び第三下部支持位置Ｙ３のように、前記下部支持部１１の下部ランバーサポートプレート部材１２によって、集中して支持される部分が、前記通常着座位置からリクライニング位置へ後方に傾倒する動作に連動して、前記背もたれ面８の下方へ向けて、着座者ＨＵの腰椎ＨＢから、臀部ＨＣの骨盤方向へ移動される。
【００８２】
このため、図７及び図８に示すように、更に、着座者ＨＵの腰椎ＨＢから、臀部ＨＣの骨盤方向へ向けて、集中して支持する部分が移動することによって、更に、腰椎ＨＢの臀部ＨＣ近傍が、前方へ押圧されて、円滑に、前記着座者ＨＵの上体下部の腰椎ＨＢを、直線状に近づけることが出来る。
【００８３】
更に、この実施の形態の椅子１のランバーサポート機構１０では、前記シートバック５内の前記下部ランバーサポートプレート部材１２を有する下部支持部１１よりも、上方位置には、上部ランバーサポートプレート部材２２を有する上部支持部２１が、設けられている。
【００８４】
この上部ランバーサポートプレート部材２２は、図３及び図６中（ａ）に示す通常着座位置では、着座者ＨＵの上体上部としての胸部ＨＡの背中側に対して、前記背もたれ面８の上部に位置するシート表皮材５ｃの裏面側から、押圧する位置で、支持するように構成されている。
【００８５】
また、この通常着座位置から、図４及び図６中（ｂ）に示す中間着座位置を経て、図５及び図６中（ｃ）に示すリクライニング位置へ、後方に傾倒させて、前記シートバック５が、前記回動軸部４を回動中心として回動移動されて移行される。
【００８６】
この回動移動に連動して、この上部ランバーサポートプレート部材２２の上縁側２２ｃが、前記後方から前方に向けて、前記背もたれ面８の上部に位置するシート表皮材５ｃの裏面側に近接する方向へ、前記回動軸部材２１ｂを回動中心として、揺動移動される。
【００８７】
すなわち、リクライニング位置へ前記シートバック５が、後方に傾倒するリクライニング動作に連動して、上部ランバーサポートプレート部材２２の上縁側２２ｃが、背もたれ面８に近接する前後方向へ揺動されると、前記上部ランバーサポートプレート部材２２の上縁側２２ｃが、前記回動軸部材２１ｂを回動中心として、背もたれ面８のシート表皮材５ｃ方向へ近接移動される。
【００８８】
従って、図８に示す様に、前記上部ランバーサポートプレート部材２２の揺動により、前記シート表皮材５ｃを介して、前記着座者ＨＵの上体上部である胸部ＨＡの背中側が、押圧されて、リクライニング位置で、上体が横臥された姿勢でも、前記椅子１のヘッドレスト部材７から、頭部ＨＥが離間する方向へ向けて、前記上部ランバーサポートプレート部材２２の上縁側２２ｃ近傍表面によって、支持される。
【００８９】
このため、更に、無理なく着座者ＨＵの腰椎ＨＢが、直線状のリラックスした状態へ、近づくように保持される。
【００９０】
また、この実施の形態では、図１及び図２に示すように、前記下部ランバーサポートプレート部材１２の上縁側１２ｂと、上部ランバーサポートプレート部材２２の下縁側２２ｂとは、近接配置されている。
【００９１】
このため、面板状の下部ランバーサポートプレート部材１２と、上部ランバーサポートプレート部材２２とが、上，下方向で略連続して、あたかも一枚のランバーサポートプレートのように、着座者ＨＵを支持するので、段差を認識する等の違和感が少ない。
【００９２】
また、これらの下部ランバーサポートプレート部材１２と、上部ランバーサポートプレート部材２２とは、凸面状及び凹面状を呈して、互い違いに湾曲形成されている。
【００９３】
このため、前記下部ランバーサポートプレート部材１２の上縁側１２ｂと、上部ランバーサポートプレート部材２２の下縁側２２ｂとの近接部分が、円滑に接続されたような略Ｓ字形状となり、更に、これらの下部ランバーサポートプレート部材１２及び上部ランバーサポートプレート部材２２との間の段差が、着座者ＨＵに認識される可能性を減少させて、違和感を軽減することが出来る。
【００９４】
しかも、図４及び図５に示すように、この上部ランバーサポートプレート部材２２の前記回動軸部材２１ｂを回動中心とする回動によって、前記下縁側２２ｂが、背もたれ面８から、離間方向である後方へ向けて移動する。
【００９５】
従って、前記シートバック５は、後方へ傾倒する回動移動が、前記リクライニング機構によって行われる際に、前記下部連動機構１３によって連動された前記下部ランバーサポートプレート部材１２の上縁側１２ｂの後方への回動移動に伴い、着座者ＨＵの脊椎ＨＳが、略直線状になろうとする円滑な動作が、この下縁側２２ｂによって、妨げられることなく、更に、違和感を減少させることができる。
【００９６】
また、この実施の形態の椅子１のランバーサポートでは、前記シートバック５の背もたれ面８に設けられた下部ランバーサポートプレート部材１２が、通常着座位置では、前記着座者ＨＵの脊椎ＨＳのうち、腰椎ＨＢの上部で、上体上部の胸部ＨＡ近傍が、図６（ａ）中の黒矢印で示す第一下部支持位置Ｙ１（シートバック５の縦方向寸法ｈに対して、下端部５ａから、２／５ｈの高さ位置）に対向して、集中的に支持される。
【００９７】
更に、前記リクライニング位置では、この第一下部支持位置Ｙ１よりも下方で、図６（ｃ）中の黒矢印で示す第三下部支持位置Ｙ３（シートバック５の縦方向寸法ｈに対して、下端部５ａから、約１／５ｈの高さ位置）に、腰椎ＨＢの背中側が、対向して、集中的に支持される。
【００９８】
このため、シートバック５の後方への傾倒によって生じる着座者ＨＵの着座姿勢の変化に対応して、前記背もたれ面８が、所望の変形を行う為、着座者ＨＵの脊椎ＨＳの的確な位置を適切な角度で支持することができる。
しかも、この実施の形態では、前記第一下部支持位置Ｙ１と、第三下部支持位置Ｙ３との間には、前記シートバック５が、通常着座位置から、リクライニング位置まで移動する間のシートバック５の傾倒角度α２（α１〜α３）の変化に応じて、着座者ＨＵの脊椎ＨＳのうち、胸部ＨＡ近傍の第一下部支持位置Ｙ１から、前記第三下部支持位置Ｙ３までの何れかの部分が、集中的に支持されるように、図６（ｂ）中黒矢印で示す第二下部支持位置Ｙ２が、上下方向に移動する。
【００９９】
この実施の形態では、前記第一下部支持位置Ｙ１から、前記第三下部支持位置Ｙ３に至るまで、シートバック５の上下方向へ、シートバック５のリクライニング動作（傾倒角度α２（α１〜α３）間）に対応して、第二下部支持位置Ｙ２が、高さ方向寸法ｈ２＝２／５ｈ〜１／５ｈの範囲で、連続的に移動する。
【０１００】
このため、更に、シートバック５の後方への微細な傾倒に対応出来、背もたれ面８の角度変化によって生じる着座者ＨＵの着座姿勢の変化に対応して、更に、的確な位置を適切な角度で、支持することができる。
【０１０１】
また、この実施の形態では、前記上部連動機構２３が、前記下部連動機構１３とは、独立して構成されていて、前記リクライニング機構による前記通常着座位置からリクライニング位置への回動移動に伴って、前記下部連動機構１３とは、別途、このリクライニング動作と連動されて、前記上部ランバーサポートプレート部材２２が、揺動移動されることにより、前記上縁側２２ｃが、背もたれ面８のシート表皮材５ｃ方向へ近接するように、移動される。
【０１０２】
この上縁側２２ｃの揺動移動により、前記シート表皮材５ｃを介して、前記着座者ＨＵの上体上部の胸部ＨＡ背中側が、押圧されて、前記椅子１のヘッドレスト部材７から、頭部ＨＥが、離間される方向へ着座者ＨＵの上体上部を、図４に示す中間着座位置を経て、図５に示すように起こす。
【０１０３】
このため、前記着座者ＨＵの上体下部の腰椎ＨＢが、図７に示す略Ｓ字状から、図８に示すように、略直線状に延ばされて、直線状に近づくように、更に容易に支持することが出来る。
【０１０４】
このように、前記上体下部の腰椎ＨＢを直接、延ばすだけでなく、上体上部の胸部ＨＡの裏面側を起こして、脊椎ＨＳ全体を用いて、腰椎ＨＢが略直線状に近づいた状態となるように、背もたれ面８の角度及び形状の変形を、前記上部支持部２１で行わせることが出来る。
【０１０５】
よって、生理学上、腰椎ＨＢへの負荷が、更に、軽減されて、着座者ＨＵにリラックス効果を与えることが出来る。
【０１０６】
以上、図面を参照して、本発明の実施の形態を詳述してきたが、具体的な構成は、この実施の形態に限らず、本発明の要旨を逸脱しない程度の設計的変更は、本発明に含まれる。
【０１０７】
即ち、前記実施の形態では、ランバーサポート機構１０として、下部支持部１１を構成する下部ランバーサポートプレート部材１２に、上部ランバーサポートプレート部材２２を設けた上部支持部２１を組み合わせた椅子１を、例示して説明してきたが、特にこれに限るものではない。
【０１０８】
例えば、下部支持部１１を構成する下部ランバーサポートプレート部材１２が、下部連動機構１３によって、前記シートバック５が後方に傾倒する動作に連動して、前記着座者ＨＵの上体下部の腰椎ＨＢを直線状に近づけるように移動するものであれば良い。
【０１０９】
また、例えば、どのような形状の下部ランバーサポートプレート部材１２であっても良く、下部ランバーサポートプレート部材１２で構成される下部支持部１１のみで構成されるものや、或いは、下部支持部１１と上部支持部２１との間に、中部プレート部材からなる中部支持部を設けて、３枚のプレート部材で支持するもの等、どのような形状、数量及び材質を組み合わせたランバーサポート機構１０であってもよい。
【０１１０】
更に、この実施の形態では、前記下部支持部１１を構成する下部ランバーサポートプレート部材１２及び、上部支持部２１を構成する上部ランバーサポートプレート部材２２が、前記シートバック５のシート表皮材５ｃよりも内側で、分離されたものを用いて説明してきたが、特にこれに限らず、例えば、シート表皮材５ｃの一般面或いは、前記背もたれ面８から、前記下部ランバーサポートプレート部材１２又は、上部ランバーサポートプレート部材２２の一部を着座者ＨＵ方向へ突出させて、押圧するように構成してもよい。
【０１１１】
また、前記下部ランバーサポートプレート部材１２又は、上部ランバーサポートプレート部材２２の一部、又は、全部を用いて、シート表皮材５ｃの一部を代用したり、一般面或いは、前記背もたれ面８として用いてもよい。
更に、この実施の形態では、前記第一下部支持位置Ｙ１から、前記第三下部支持位置Ｙ３に至るまで、連続的に動作するシートバック５のリクライニング動作（傾倒角度α２（α１〜α３）間）に対応して、前記第二下部支持位置Ｙ２が、高さ方向寸法ｈ２＝２／５ｈ〜１／５ｈの範囲で、前記下部支持部１１の下部ランバーサポートプレート部材１２及び、上部支持部２１の上部ランバーサポートプレート部材２２を、連続的に、回動移動若しくは揺動移動させるように構成されているが、特にこれに限らず、例えば、少なくとも、通常着座位置及びリクライニング位置の間で、前記シートバックが後方に傾倒する動作に連動して、前記着座する者の上体下部の腰椎を直線状に近づけるように移動させるものであれば、二段階であっても、前記第二下部支持位置Ｙ２を複数設けて、段階的にリクライニング動作を停止させるものに対応させても良く、前記下部ランバーサポートプレート部材１２及び、上部ランバーサポートプレート部材２２の停止角度、押圧位置、及び可変量が限定されるものではない。
【産業上の利用可能性】
【０１１２】
前記実施の形態では、ランバーサポートが適用される椅子を用いて説明してきたが、特にこれに限らず、例えば、家庭用、オフィス、工場若しくは研究所等の会社用、屋内用、屋外用、車両用、航空機用、船舶用等、どのような用途の椅子であっても良く、所謂一般的な椅子に用いることができる。
【符号の説明】
【０１１３】
１        椅子
５        シートバック
６ｃ，６ｃ 各下端部
８        背もたれ面
１０      ランバーサポート機構
１１      下部支持部
１２      下部ランバーサポートプレート部材
１２ｂ    上縁側
１３      下部連動機構
２１      上部支持部
２２      上部ランバーサポートプレート部材
２２ｂ    下縁側
２３      上部連動機構
α１，α２，α３  第一，第二，第三傾倒角度
ＨＢ      腰椎
ＨＳ      脊椎
ＨＵ      着座者（着座する者）
Ｙ１，Ｙ２，Ｙ３  第一，第二，第三下部支持位置
【図１】
0005521662.tif 000002
【図２】
0005521662.tif 000003
【図３】
0005521662.tif 000004
【図４】
0005521662.tif 000005
【図５】
0005521662.tif 000006
【図６】
0005521662.tif 000007
【図７】
0005521662.tif 000008
【図８】
0005521662.tif 000009